(57)【要約】【課題】  水冷ケーブル端子台、水冷ケーブル端子及びケーブルの接続方法を提供する。【解決手段】  水冷ケーブル端子台１、水冷ケーブル端子３及びケーブルの接続方法において、水冷ケーブル端子台１の台体を電源に接続し、水冷ケーブル端子３を接続部材（キャップ蓋１２）に取り外し可能なように接続し、これにより水冷ケーブル端子台１の端子台接続面１２２と水冷ケーブル端子３の端子接続面３２は相互に接触して対応し、これにより水冷ケーブル端子台１の固定ユニット１３と水冷ケーブル端子３の被固定ユニット３３は結合して固定される。水冷ケーブル端子台１の接続部材（キャップ蓋１２）の配置により、水冷ケーブル端子３は水冷ケーブル端子台１から簡単に取り付け或いは取り外し可能となる。【選択図】図６
2019009992.tif 000002
【特許請求の範囲】
【請求項１】
水冷ケーブル端子台であって、台体、接続部材、固定ユニットを有し、
前記台体は、延伸部を有し、
前記接続部材は、前記延伸部上に接続され、前記接続部材上には、錐形の端子台接続面が設置され、前記接続部材の外周囲には、端子台接合片が設置され、
前記固定ユニットは、前記接続部材上に接続されることを特徴とする、水冷ケーブル端子台。
【請求項２】
前記接続部材は、キャップ蓋で、凹槽を有し、
前記端子台接続面は、前記凹槽の内面で、前記凹槽に向かう開口は徐々に広がる形態を呈することを特徴とする、請求項１に記載の水冷ケーブル端子台。
【請求項３】
前記固定ユニットは、前記キャップ蓋の上縁に設置され、前記凹槽を連通する固定孔、及び前記固定孔を貫通できる螺接部材を有することを特徴とする、請求項２に記載の水冷ケーブル端子台。
【請求項４】
前記台体は、環状カバーであることを特徴とする、請求項１に記載の水冷ケーブル端子台。
【請求項５】
前記台体は、板体で、前記板体上には、貫通した１個以上の結合孔が設置されることを特徴とする、請求項１に記載の水冷ケーブル端子台。
【請求項６】
水冷ケーブル端子であって、端子本体を有し、
前記端子本体は、錐形の端子接続面、及び被固定ユニットを有し、前記端子本体の外周囲には、端子接合片が設置されることを特徴とする、水冷ケーブル端子。
【請求項７】
前記端子本体は、凸柱で、前記端子接続面は、前記凸柱の外表面で、しかも前記凸柱の端部に向かい徐々に縮小する形態を呈することを特徴とする、請求項６に記載の水冷ケーブル端子。
【請求項８】
前記被固定ユニットは、ネジ穴であることを特徴とする、請求項６に記載の水冷ケーブル端子。
【請求項９】
水冷ケーブル端子台の台体が、電源に接続され、
水冷ケーブル端子が前記水冷ケーブル端子台の接続部材に取り外し可能なように接続され、これにより前記水冷ケーブル端子台の端子台接続面と前記水冷ケーブル端子の端子接続面は、相互に接触して対応し、
これにより、前記水冷ケーブル端子台の固定ユニットと前記水冷ケーブル端子の被固定ユニットとは結合されて固定されることを特徴とする、ケーブルの接続方法。
【請求項１０】
接続嵌合台により、前記接続部材の外周囲の端子台接合片及び前記水冷ケーブル端子の本体の外周囲の端子接合片が接続されることを特徴とする、請求項９に記載のケーブルの接続方法。
【請求項１１】
前記電源が導電台に接続され、さらにボルトにより前記水冷ケーブル端子台の台体が、前記導電台上に接続されることを特徴とする、請求項９に記載のケーブルの接続方法。
【発明の詳細な説明】
【技術分野】
【０００１】
本発明は水冷ケーブル端子台、水冷ケーブル端子及びケーブルの接続方法に関する。特に、水冷ケーブル端子は取り外し可能なように水冷ケーブル端子台に接続される接続部材で、便利な取り付け或いは取り外しの機能を達成する水冷ケーブル端子台、水冷ケーブル端子及びケーブルの接続方法に関する。
【背景技術】
【０００２】
従来の電気アーク炉は、電極棒を使用して高温の電気アークを発生させ、電撃で溶融炉内の金属を溶解させるものである。
電極棒の電力は、水冷ケーブルにより変圧器の電源に接続し、動力を発生する。
【０００３】
図９に示す通り、一般の水冷ケーブル端子Ａ上には、多数の固定孔Ａ１が有り、多数のボルトＢを固定孔Ａ１に通し、水冷ケーブル端子Ａを導電台Ｃに固定し、導電台Ｃにより電源の導電端子Ｄに接続する。
【０００４】
電気アーク炉の電極は高電圧を必要とする。また、電気アーク炉は、１５００度以上の高温の激烈な環境で操作されるため、水冷ケーブルは一年などの一定期間毎に定期交換が必要である。
しかし、電気アーク炉は体積が膨大で、また水冷ケーブルは相対的に重く、長さは長く、たわみが一定でないため、取り付けが非常に難しい。
電気アーク炉３には計１２本のケーブルがあるが、その内の１本の水冷ケーブルを交換するのに、数時間かけて端子面ボルトを取り外し、新ケーブルを、ボルトを用いて新たに固定する必要がある。
このように、電気アーク炉のメンテナンスには多大な時間と労力がかかる。
また、電気炉メーカーは作業環境が高温かつ劣悪で、粉塵や有毒ガスもあるため、多くの労働災害が発生している。
これらの従来技術に関する先行技術文献としては、例えば特許文献１がある。
【先行技術文献】
【特許文献】
【０００５】
【特許文献１】特表２０１６−５２８６７３号公報
【発明の概要】
【発明が解決しようとする課題】
【０００６】
前記先行技術の水冷ケーブルの交換方式は、時間も労力もかかり、また危険なため、効率が悪く、労働災害の発生が多いという欠点がある。
【課題を解決するための手段】
【０００７】
本発明は水冷ケーブル端子台、水冷ケーブル端子及びケーブルの接続方法に関する。
【０００８】
本発明による水冷ケーブル端子台は、台体、接続部材、固定ユニットを有する。
該台体は、延伸部を有する。
該接続部材は、該延伸部上に接続され、該接続部材上には、錐形の端子台接続面が設置され、該接続部材外周囲には、端子台接合片が設置される。
固定ユニットは、該接続部材上に接続される。
【０００９】
さらに、本発明による水冷ケーブル端子台の該接続部材は、キャップ蓋で、凹槽を有し、該端子台接続面は、該凹槽の内面で、しかも該凹槽に向かう開口は、徐々に広がる形態を呈する。
【００１０】
さらに、本発明による水冷ケーブル端子台の該固定ユニットは、該キャップ蓋上縁に設置され、該凹槽を連通する固定孔、及び該固定孔を貫通できる螺接部材を有する。
【００１１】
さらに、本発明による水冷ケーブル端子台の該台体は、環状カバーである。
【００１２】
さらに、本発明による水冷ケーブル端子台の該台体は、板体で、しかも該板体上には、１個以上の貫通した結合孔を有する。
【００１３】
本発明による水冷ケーブル端子は、端子本体を有する。
該端子本体は、錐形の端子接続面、及び被固定ユニットを有し、該端子本体外周囲には、端子接合片を有する。
【００１４】
さらに、本発明による水冷ケーブル端子の該端子本体は、凸柱で、該端子接続面は、該凸柱の外表面で、しかも該凸柱の端部に向かい徐々に縮小する形態を呈する。
【００１５】
さらに、本発明による水冷ケーブル端子の該被固定ユニットは、ネジ穴である。
【００１６】
本発明によるケーブルの接続方法は、以下の要件を含む。
水冷ケーブル端子台の台体は、電源に接続され、水冷ケーブル端子が水冷ケーブル端子台の接続部材に取り外し可能なように接続され、これにより該水冷ケーブル端子台の端子台接続面と該水冷ケーブル端子の端子接続面は、相互に接触して対応し、これにより、該水冷ケーブル端子台の固定ユニットと該水冷ケーブル端子の被固定ユニットは結合され、固定される。
【００１７】
本発明によるケーブルの接続方法ではさらに、接続嵌合台により、該接続部材外周囲の端子台接合片及び該端子本体外周囲の端子接合片が接続される。
【００１８】
本発明によるケーブルの接続方法ではさらに、該電源が導電台に接続され、さらにボルトにより該水冷ケーブル端子台の台体が、該導電台上に接続される。
【００１９】
上述の技術的特徴により、以下の効果が達成される。
１．本発明の水冷ケーブル端子は取り外し可能なように水冷ケーブル端子台に接続される接続部材で、便利な取り付け或いは取り外しの機能を達成する。
２．本発明の水冷ケーブル端子台の接続部材は、キャップ蓋で、凹槽を有し、該端子台接続面は、該凹槽の内面で、しかも該凹槽に向かう開口は、錐形で徐々に広くなる形態を呈し、該水冷ケーブル端子の端子本体は、凸柱で、該端子接続面は、該凸柱の外表面で、しかも該凸柱の端部に向かい徐々に縮小する形態を呈する。上述の錐形凹槽及び錐形凸柱の配置により、電気アーク炉の水冷ケーブル１本の交換を完成させるのに必要な時間は、従来の３時間から３０分に短縮される。
３．本発明の水冷ケーブル端子台は、従来の導電台とそのまま置換でき、電源の導電端子に直接接続でき、導電台設置のコストを節減できる。
【図面の簡単な説明】
【００２０】
【図１】本発明の水冷ケーブル端子台を導電台に置換し電源の導電端子に直接結合する様子を示す斜視図である。
【図２】本発明の水冷ケーブル端子と水冷ケーブル端子台の分解斜視図である。
【図３】本発明の水冷ケーブル端子を水冷ケーブル端子台に挿入する様子を示す分解斜視図である。
【図４】本発明の水冷ケーブル端子と水冷ケーブル端子台が接続嵌合台により結合される様子を示す分解斜視図である。
【図５】本発明の水冷ケーブル端子と水冷ケーブル端子台がボルトなどの固定ユニットにより結合固定される様子を示す分解斜視図である。
【図６】図５の断面図である。
【図７】本発明の水冷ケーブル端子がさらに水冷管路に接続する様子を示す斜視図である。
【図８】本発明の水冷ケーブル端子台が従来の導電台に接続する様子を示す分解斜視図である。
【図９】従来の電気アーク炉の水冷ケーブル端子の電極台と導電台を接続する様子を示す分解斜視図である。
【発明を実施するための形態】
【００２１】
（一実施形態）
図１及び図２に示す通り、本実施形態による水冷ケーブル端子台１は、台体、接続部材、固定ユニット１３を有する。
台体は環状カバー１１である。環状カバー１１上には、延伸部１１２が設置される。
接続部材は、延伸部１１２上に接続される。
本実施形態中において、接続部材は、キャップ蓋１２で、凹槽１２１を有する。
凹槽１２１内面には、錐形の端子台接続面１２２が設置される。
端子台接続面１２２凹槽１２１に向かう開口は、徐々に広がる形態を呈する（凹槽１２１及び端子台接続面１２２は図６参照）。
キャップ蓋１２外周囲には、端子台接合片１２３が設置される。
固定ユニット１３は、キャップ蓋１２上縁に設置され、凹槽１２１を連通する固定孔１３１、及び固定孔１３１を貫通できる螺接部材１３２を有する。
環状カバー１１が、電源の導電端子２上に直接被せて設置される。
【００２２】
図２及び図３に示す通り、本実施形態はさらに、水冷ケーブル端子３を有する。
水冷ケーブル端子３は、端子本体３１を有する。
端子本体３１は、錐形を呈する凸柱で、錐形の端子接続面３２を有する。
端子接続面３２は、端子本体３１の端部に向かい、徐々に縮小する形態を呈する。
水冷ケーブル端子３は、被固定ユニットを有する。
被固定ユニットはネジ穴３３である。
端子本体３１外周囲には端子接合片３４が設置される。
【００２３】
水冷ケーブル端子３によりケーブル線４が接続され、さらにケーブル線４により電気アーク炉の電極棒が接続される。
ケーブル線４により接続される電気アーク炉の電極棒は、従来の技術であるため、図示しない。
端子本体３１がキャップ蓋１２の凹槽１２１中に挿入され、これにより端子台接続面１２２と端子接続面３２は相互に接触して対応する。これにより、端子台接合片１２３と端子接合片３４とは接触して並ぶ（端子本体３１がキャップ蓋１２に挿入される結合関係は図６参照）。
【００２４】
図４から図６に示す通り、接続嵌合台５により、キャップ蓋１２の端子台接合片１２３及び水冷ケーブル端子３の端子接合片３４が接続される。
これにより、水冷ケーブル端子３が、水冷ケーブル端子台１上に固定される。
このとき、水冷ケーブル端子３を堅固に固定するため、螺接部材１３２を、キャップ蓋１２上の固定孔１３１に通し、水冷ケーブル端子３のネジ穴３３上に螺接する。
【００２５】
図７に示す通り、水冷管路６が水冷ケーブル端子３に接続され、電気アーク炉の操作過程で水冷が行われることにより、ケーブル線が過度の高温状態となることを回避できる。
【００２６】
上述の錐形凹槽及び錐形凸柱の配置により、電気アーク炉のケーブル線及び水冷ケーブル端子の交換が約２時間で完了できるようになる。従来の電気アーク炉のように、水冷ケーブル端子上のボルトを一つ一つ取り外す必要はない。
【００２７】
図１及び図２に示す通り、水冷ケーブル端子台１が電源の導電端子２上に直接接続され、さらに水冷ケーブル端子台１により水冷ケーブル端子３が接続される。
この種の実施形態は、新設される電気アーク炉に適用できる。
【００２８】
一方、図８に示す通り、工場に既に設置されてしまっている電気アーク炉においても、台体を板体１１Ａに設置することにより、本発明を実施できる。
板体１１Ａ上には、１個以上の貫通した結合孔１１１Ａが設置され、多数のボルト１４が板体１１Ａの結合孔１１１Ａに通され、電源の導電台７上に螺固される。
これにより、水冷ケーブル端子台１と導電台７が接続されて固定される。また導電台７は、電源の導電端子２に接続される。
【００２９】
前述した本発明の実施形態は、本発明を限定するものではない。よって、本発明により保護される範囲は、特許請求の範囲を基準とする。
【符号の説明】
【００３０】
１        水冷ケーブル端子台、
１１      環状カバー（台体）、
１１Ａ    板体、
１１１Ａ  結合孔、
１１２    延伸部、
１２      キャップ蓋（接続部材）、
１２１    凹槽、
１２２    端子台接続面、
１２３    端子台接合片、
１３      固定ユニット、
１３１    固定孔、
１３２    螺接部材、
１４      ボルト、
２        導電端子、
３        水冷ケーブル端子、
３１      端子本体、
３２      端子接続面、
３３      ネジ穴（被固定ユニット）、
３４      端子接合片、
４        ケーブル線、
５        接続嵌合台、
６        水冷管路、
７        導電台、
Ａ        水冷ケーブル端子、
Ａ１      延伸部材、
Ａ２      電極台、
Ａ２１    固定孔、
Ｂ        ボルト、
Ｃ        導電台、
Ｄ        導電端子。
【図１】
2019009992.tif 000003
【図２】
2019009992.tif 000004
【図３】
2019009992.tif 000005
【図４】
2019009992.tif 000006
【図５】
2019009992.tif 000007
【図６】
2019009992.tif 000008
【図７】
2019009992.tif 000009
【図８】
2019009992.tif 000010
【図９】
2019009992.tif 000011